(57)【要約】【課題】白紙ページを含む原本をスキャンして得られる電子データの番号を、白紙ページを含む場合にも、原本のページ番号に対応させることができる。【解決手段】原本のページ毎に得られるそれぞれスキャンデータに基づいて、それぞれのページが白紙ページであるか否かを判定する（ステップＳ１５）。白紙ページでないと判定されたページに対しては、そのページのスキャンデータに基づく画像データを含む電子ページデータを作成する（ステップＳ１７）。白紙ページと判定されたページに対しては、スキャンデータを削除し、予め設定された管理情報を含む疑似ページデータを作成する（ステップＳ１９）。作成された電子ページデータの全てと、疑似ページデータの全てとを、それぞれに対応するページがスキャンされた順番に統合することにより電子ファイルを作成する（ステップＳ２２）。【選択図】図２
2015082811.tif 000002
【特許請求の範囲】
【請求項１】
原本における複数のページをそれぞれスキャンして得られるスキャンデータから、所定フォーマットの電子ファイルを作成する画像処理装置であって、
ページ単位のスキャンデータに基づいて、それぞれのページが白紙ページであるか否かを判定する白紙ページ判定手段と、
前記白紙ページ判定手段によって白紙ページでないと判定されたページに対して、当該ページのスキャンデータに基づいて、プリンターによるプリントアウト可能であって表示装置において表示可能な電子ページデータを作成する電子ページデータ作成手段と、
前記白紙ページ判定手段によって白紙ページと判定されたページのスキャンデータを削除し、白紙ページとして管理するための管理情報を含む電子データを疑似ページデータとして作成する疑似ページデータ作成手段と、
前記電子データ作成手段によって作成された電子ページデータの全てと、前記疑似ページデータ作成手段よって作成された疑似ページデータの全てとを、それぞれに対応するページがスキャンされた順番に統合して前記電子ファイルを作成する電子ファイル作成手段と、
を有することを特徴とする画像処理装置。
【請求項２】
前記電子ページデータをプリントアウト可能なプリンターおよびプレビュー表示可能な表示装置をさらに有し、
前記表示装置は、プリントアウトする際におけるプレビュー表示では、前記疑似ページデータについて、白紙ページであることを示すために予め設定された画像を表示することを特徴とする請求項１に記載の画像処理装置。
【請求項３】
前記疑似ページデータが含まれた前記電子ファイルを送信する送信手段をさらに有し、
前記表示装置は、前記送信手段によって送信される前記電子ファイルをプレビュー表示する際には、前記疑似ページデータについては表示しないことを特徴とする請求項２に記載の画像処理装置。
【請求項４】
前記電子ページデータ作成手段は、スキャンデータに基づいて、ＰＤＦ（Portable Document Format）の電子ページデータを作成し、
前記疑似ページデータ作成手段は、前記管理情報として、ＰＤＦにより設定可能な最小単位のページサイズを設定することを特徴とする請求項１に記載の画像処理装置。
【請求項５】
前記疑似ページデータ作成手段において設定されたページサイズは、ページサイズの高さおよび幅のいずれか一方が、ＰＤＦにより設定可能な最小単位に設定されていることを特徴とする請求項４に記載の画像処理装置。
【請求項６】
前記電子ページデータをプレビュー表示可能な表示装置をさらに有し、
前記表示装置は、表示内容を表示画面の横方向にスクロールさせることが可能であり、
前記疑似ページデータ作成手段は、ページサイズの幅を、設定可能な最小単位に設定することを特徴とする請求項５に記載の画像処理装置。
【請求項７】
前記電子ページデータをプレビュー表示可能な表示装置をさらに有し、
前記表示装置は、表示内容を表示画面の縦方向にスクロールさせることが可能であり、
前記疑似ページデータ作成手段は、ページサイズの高さを、設定可能な最小単位に設定することを特徴とする請求項５に記載の画像処理装置。
【請求項８】
原稿のページをスキャンするスキャナーをさらに有し、
前記白紙ページ判定手段は、前記スキャナーによって取得されたスキャンデータに基づいて白紙ページの判定をすることを特徴とする請求項１〜７のいずれか一項に記載の画像処理装置。
【請求項９】
原稿のページをスキャンして得られるスキャンデータが外部装置から送信された場合に、当該スキャンデータを受信する受信手段を有し、
前記白紙ページ判定手段は、前記受信手段によって受信されたスキャンデータに基づいて白紙ページの判定をすることを特徴とする請求項１〜７のいずれか一項に記載の画像処理装置。
【請求項１０】
前記電子ページデータ作成手段は、電子データを「Word」（マイクロソフト社製のソフトウェアの商品名）によって作成し、
前記疑似ページデータ作成手段は、「Word」によって、全ての行が改行コードになったページ、または、設定可能な最小単位のページサイズの新規セクションを、前記管理情報として設定することを特徴とする請求項１〜３のいずれか一項に記載の画像処理装置。
【請求項１１】
前記電子ページデータ作成手段は、「PowerPoint」（マイクロソフト社製のソフトウェアの商品名）によって「PowerPoint」のファイル形式の電子データを作成し、
前記疑似ページデータ作成手段は、前記管理情報として、「PowerPoint」におけるスライドショー非表示属性が設定されていることを特徴とする請求項１〜３のいずれか一項に記載の画像処理装置。
【発明の詳細な説明】
【技術分野】
【０００１】
本発明は、原稿をスキャンして得られる画像データを、所定フォーマットの電子データとする画像処理装置に関する。
【背景技術】
【０００２】
スキャナー（画像読取装置）、プリンター（画像形成装置）、表示パネル等が備えられた複合機（MFP：Multi Function Peripheral）では、通常、スキャナーによって読み取られた原稿の画像をシート上にプリントして排出（プリントアウト）することができる。また、表示パネルでは、プリントアウトされるシート上の画像のレイアウト等を表示（プレビュー表示）することも可能になっている。
【０００３】
特許文献１には、原稿の両面における各ページをスキャナーによってスキャンして得られるデータ（「スキャンデータ」とする）を、ＰＤＦデータに変換して保管するＭＦＰが開示されている。
このＭＦＰでは、原本における１ページ単位のスキャンデータに基づいて、当該ページが、画像の形成されていない白紙ページであるか否かを判定し、白紙ページであると判定されると、当該ページのスキャンデータを削除する構成になっている。
【０００４】
これに対して、白紙ページでないと判定されたページについては、得られたスキャンデータを、ＰＤＦ（Portable Document Format）の電子データに変換する。この場合には、変換された電子データに、原本におけるページ番号、原稿の表裏等に関する属性情報が付与される。そして、白紙ページでないページに関して作成された全ての電子データが統合されて電子ファイルとして管理される。
【先行技術文献】
【特許文献】
【０００５】
【特許文献１】特開２０１０−２５８６９８号公報
【発明の概要】
【発明が解決しようとする課題】
【０００６】
白紙ページを含む原本では、全てのページに対して連続したページ番号が付与されている。これに対して、特許文献１に開示されたＭＦＰによって作成された電子ファイルには、原本における白紙ページについては電子データが存在しない。このために、白紙ページ以外のページに対して作成された電子データに、スキャンした順番を示す番号（以下、「ＩＤ番号」とする）を付与すると、付与されたＩＤ番号の電子データは、原本におけるページ番号に対応しないおそれがある。
【０００７】
ユーザーは、電子ファイルのプリントアウトに際して、記録シートに形成される画像を表示パネルにおいて確認（プレビュー）するために、原本のページ番号を指定する場合がある。この場合、指定した原本のページ番号に対応するＩＤ番号が付与された電子データの画像が表示パネルにおいて表示される。
しかし、原本に白紙ページが含まれていることによって、指定した原本のページ番号と、電子データのＩＤ番号とが対応しない場合には、原本におけるページ番号の画像とは異なる電子データの画像が表示パネルに表示されることになる。この場合には、ユーザーは、目的とする原稿のページの画像を正確に確認することができない。
【０００８】
本発明は、上記の問題に鑑みてなされたものであり、その目的は、白紙ページを含む原本をスキャンして得られるスキャンデータに基づいて電子ファイルを作成する場合に、原稿のページ番号と、スキャン順に作成された電子データの番号とを対応させることができる画像処理装置を提供することにある。
【課題を解決するための手段】
【０００９】
上記目的を達成するため、本発明に係る画像処理装置は、原本における複数のページをそれぞれスキャンして得られるスキャンデータから、所定フォーマットの電子ファイルを作成する画像処理装置であって、ページ単位のスキャンデータに基づいて、それぞれのページが白紙ページであるか否かを判定する白紙ページ判定手段と、前記白紙ページ判定手段によって白紙ページでないと判定されたページに対して、当該ページのスキャンデータに基づいて、プリンターによるプリントアウト可能であって表示装置において表示可能な電子ページデータを作成する電子ページデータ作成手段と、前記白紙ページ判定手段によって白紙ページと判定されたページのスキャンデータを削除し、白紙ページとして管理するための管理情報を含む電子データを疑似ページデータとして作成する疑似ページデータ作成手段と、前記電子データ作成手段によって作成された電子ページデータの全てと、前記疑似ページデータ作成手段よって作成された疑似ページデータの全てとを、それぞれに対応するページがスキャンされた順番に統合して前記電子ファイルを作成する電子ファイル作成手段と、を有することを特徴とする。
【発明の効果】
【００１０】
本発明の画像処理装置では、原本における白紙ページに対しては、疑似ページデータが作成され、白紙ページ以外のページに対しては、画像データを含む電子ページデータが作成される。そして、作成された電子ページデータおよび疑似ページデータは、対応するページがスキャンされた順に統合されて電子ファイルとされる。
このような電子ファイルでは、電子ページデータおよび疑似ページデータに対して、統合された順番に番号が付与されると、付与された番号の電子ページデータおよび疑似ページデータは、スキャンされる原本のページ番号のページに対応している。このため、ユーザーが、プリントアウトされる画像を表示装置において確認するために原本のページ番号を指定すると、指定されたページ番号のページに対応した電子ページデータの画像が表示装置に表示される。これにより、ユーザーは、指定した原本のページをプリントアウトした場合に得られる画像を、表示装置において正確に確認することができる。
【００１１】
好ましくは、前記電子ページデータをプリントアウト可能なプリンターおよびプレビュー表示可能な表示装置をさらに有し、前記表示装置は、プリントアウトする際におけるプレビュー表示では、前記疑似ページデータについて、白紙ページであることを示すために予め設定された画像を表示することを特徴とする。
好ましくは、前記疑似ページデータが含まれた前記電子ファイルを送信する送信手段をさらに有し、前記表示装置は、前記送信手段によって送信される前記電子ファイルをプレビュー表示する際には、前記疑似ページデータについては表示しないことを特徴とする。
【００１２】
好ましくは、前記電子ページデータ作成手段は、スキャンデータに基づいて、ＰＤＦ（Portable Document Format）の電子ページデータを作成し、前記疑似ページデータ作成手段は、前記管理情報として、ＰＤＦにより設定可能な最小単位のページサイズを設定することを特徴とする。
好ましくは、前記疑似ページデータ作成手段において設定されたページサイズは、ページサイズの高さおよび幅のいずれか一方が、ＰＤＦにより設定可能な最小単位に設定されていることを特徴とする。
【００１３】
好ましくは、前記電子ページデータをプレビュー表示可能な表示装置をさらに有し、前記表示装置は、表示内容を表示画面の横方向にスクロールさせることが可能であり、前記疑似ページデータ作成手段は、ページサイズの幅を、設定可能な最小単位に設定することを特徴とする。
好ましくは、前記電子ページデータをプレビュー表示可能な表示装置をさらに有し、前記表示装置は、表示内容を表示画面の縦方向にスクロールさせることが可能であり、前記疑似ページデータ作成手段は、ページサイズの高さを、設定可能な最小単位に設定することを特徴とする。
【００１４】
好ましくは、原稿のページをスキャンするスキャナーをさらに有し、前記白紙ページ判定手段は、前記スキャナーによって取得されたスキャンデータに基づいて白紙ページの判定をすることを特徴とする。
好ましくは、原稿のページをスキャンして得られるスキャンデータが外部装置から送信された場合に、当該スキャンデータを受信する受信手段を有し、前記白紙ページ判定手段は、前記受信手段によって受信されたスキャンデータに基づいて白紙ページの判定をすることを特徴とする。
【００１５】
好ましくは、前記電子ページデータ作成手段は、電子データを「Word」（マイクロソフト社製のソフトウェアの商品名）によって作成し、前記疑似ページデータ作成手段は、「Word」によって、全ての行が改行コードになったページ、または、設定可能な最小単位のページサイズの新規セクションを、前記管理情報として設定することを特徴とする。
好ましくは、前記電子ページデータ作成手段は、「PowerPoint」（マイクロソフト社製のソフトウェアの商品名）によってＰＰＴファイル形式の電子データを作成し、前記疑似ページデータ作成手段は、前記管理情報として、「PowerPoint」におけるスライドショー非表示属性が設定されていることを特徴とする。
【図面の簡単な説明】
【００１６】
【図１】本発明の画像処理装置の一例であるＭＦＰ（Multi Function Peripheral）の構成を説明するためのブロック図である。
【図２】図１に示すＭＦＰにおいて実行される電子ファイルの作成制御の処理手順を示すフローチャートである。
【図３】電子ファイルの作成制御において実行される電子ページデータ作成処理のサブルーチンを示すフローチャートである。
【図４】電子ページデータ作成処理によって作成される電子ページデータのデータ構造の一例を示す図である。
【図５】電子ファイル作成制御において実行される疑似ページデータ作成処理のサブルーチンを示すフローチャートである。
【図６】疑似ページデータ作成処理によって作成される疑似ページデータのデータ構造の一例を示す図である。
【図７】疑似ページデータを含む電子ファイルの全てのページを表示パネルにおいてプレビュー表示した場合の一例を示す模式図である。
【図８】縦方向にスクロール可能な表示パネルにおいて、４ページ分の電子ファイルをプレビュー表示する場合の説明図である。
【図９】（ａ）は、原本に、ページの向きが他のページとは異なる白紙ページが含まれている場合の全ページの構成を説明するための模式図、（ｂ）は、（ａ）に示された原本に基づいて作成された電子ファイルを表示パネルにおいてプレビュー表示する場合の説明図である。
【図１０】（ａ）は、原本に、ページの向きが他のページとは異なる白紙ページが含まれている場合の全ページの構成を説明するための模式図、（ｂ）は、（ａ）に示された原本に基づいて作成された電子ファイルを表示パネルにおいてプレビュー表示する場合の説明図である。
【発明を実施するための形態】
【００１７】
以下に本発明の実施形態について説明する。
［実施形態１］
＜ＭＦＰの構成＞
図１は、本発明の画像処理装置の一例であるＭＦＰ（Multi Function Peripheral）の構成を説明するためのブロック図である。このＭＦＰは、画像読取装置（スキャナー）１１と、プリンター１２と、表示パネル１３と、通信Ｉ／Ｆ（インターフェース）１４と、これらを制御する制御部１５とを備えている。
【００１８】
スキャナー１１には、原稿を搬送する自動搬送機構（ＡＤＦ）１１ａと、ＡＤＦ１１ａによって搬送される原稿の両面のページにそれぞれ対向して配置された第１読取センサー１１ｂおよび第２読取センサー１１ｃとが設けられている。
ＡＤＦ１１ａには、１ジョブ毎に、１枚または複数枚の原稿によって構成された原本が、ユーザーによって所定位置にセットされる。ＡＤＦ１１ａは、所定位置にセットされた原稿を、第１読取センサー１１ｂおよび第２読取センサー１１ｃが設けられた位置へ搬送する。
【００１９】
原稿には、片面（以下、「第１面」とする）だけがページ面（通常、画像が形成されている）になった片面原稿と、両面のそれぞれをページ面になった両面原稿とがある。なお、１枚の両面原稿におけるそれぞれのページ面を、ページ番号順に「第１面」および「第２面」とする。また、１枚の両面原稿には、一方のページ面に画像が形成されていない場合があり、このような画像が形成されていないページを「白紙ページ」とする。これに対して、画像が形成されたページを「非白紙ページ」とする。
【００２０】
第１読取センサー１１ｂおよび第２読取センサー１１ｃは、原稿の搬送方向とは直交する方向に沿って受光素子が配列されたラインセンサーによって構成されている。第１読取センサー１１ｂおよび第２読取センサー１１ｃは、ＡＤＦ１１ａによって搬送される原稿の一面（第１読取センサー１１ｂおよび第２読取センサー１１ｃのそれぞれに対向する面）に照射された光の反射光をそれぞれ受光する。これにより、第１読取センサー１１ｂおよび第２読取センサー１１ｃは、原稿の第１面および第２面のそれぞれの画像を読み取る（スキャンする）。
【００２１】
ユーザーは、原稿が片面原稿および両面原稿のいずれの場合でも、第１読取センサー１１ｂによって第１面がスキャンされるように、原本をＡＤＦ１１ａにセットする。原本が複数の片面原稿によって構成されている場合には、ページ順に搬送される原稿の片面が第１読取センサー１１ｂのみによってスキャンされる。
原本が複数の両面原稿によって構成されている場合には、順番に搬送される原稿の第１面が第１読取センサー１１ｂによってスキャンされ、第２面が第２読取センサー１１ｃによってスキャンされる。これにより、原本における全てのページが第１読取センサー１１ｂおよび第２読取センサー１１ｃによってスキャンされる。
【００２２】
第１読取センサー１１ｂおよび第２読取センサー１１ｃのそれぞれは、原稿における各ページをスキャンして得られるスキャンデータを制御部１５に出力する。
プリンター１２は、周知の電子写真方式によってプリント動作（画像形成動作）を実行し、記録シート上にトナー画像をプリントして機外へ排出（プリントアウト）する。本実施形態では、プリンター１２は、フルカラーのトナー画像および単色のトナー画像のそれぞれを形成することが可能になっている。また、プリンター１２は、記録シートの片面にトナー画像を形成してプリントアウトする片面プリントと、記録シートの両面にトナー画像をそれぞれ形成してプリントアウトする両面プリントとのそれぞれを実行できる構成になっている。
【００２３】
表示パネル１３は、制御部１５の指示により、各種情報の表示が可能である。また、ユーザーが表示面をタッチ操作することによって、制御部１５に対する各種情報の入力も可能になっている。
通信Ｉ／Ｆ（インターフェース）１４は、Ｆａｘ、外部端末としてのコンピューター、ＵＳＢメモリー、コンパクトフラッシュ（登録商標）、ＳＤカード、マイクロＳＤカード、ミニＳＤカード等の外部装置が接続可能になっている。通信Ｉ／Ｆ１４は、制御部１５の指示により、接続された外部装置との間での情報の入出力が可能になっている。
【００２４】
制御部１５は、各種制御を実行するＣＰＵ（Central Processing Unit）１５ａと、ＲＡＭ（Random Access Memory）１５ｂと、ＲＯＭ（Read Only Memory）１５ｃと、ハードディスク等の記憶装置１５ｄと、を有している。
ＲＯＭ１５ｃは、不揮発性のメモリーであり、ＣＰＵ１５ａにおいて各種制御を実行させるプログラム等が格納されている。ＲＡＭ１５ｂは揮発性のメモリーであり、プログラム実行時のワークエリアとなる。記憶装置１５ｄは、不揮発性のメモリーであり、各種データを記憶するようになっている。
【００２５】
通信Ｉ／Ｆ１４に接続された外部装置からは、自装置のスキャナー１１以外のスキャナーによって得られたスキャンデータが、１ジョブ単位で送信される場合がある。外部装置から送信された１ジョブ単位のスキャンデータは、ＣＰＵ１５ａの指示により、記憶装置１５ｄに記憶される。
また、ＣＰＵ１５ａは、スキャナー１１から出力されるスキャンデータ、あるいは、外部装置から送信されるスキャンデータを保管するために、１ジョブのスキャンデータ毎に１つの電子ファイルを作成する電子ファイル作成制御を実行する。
【００２６】
電子ファイル作成制御では、原本における各ページのスキャンデータに基づいて、白紙ページであるか否かの判定を行う。白紙ページではなくて非白紙ページと判定された場合には、スキャンデータに基づいて作成されるＰＤＦ（Portable Document Format）の電子データ（以下、「電子ページデータ」とする）を作成する。ＰＤＦの電子ページデータは、非白紙ページに含まれる画像に関する画像データ、非白紙ページのページサイズ等に関するページ情報を含んでいる。
【００２７】
これに対して、白紙ページと判定された場合には、スキャンデータを削除し、白紙ページとして管理可能な管理情報を含むＰＤＦの電子データ（以下、「疑似ページデータ」とする）を作成する。
１ジョブの原本毎に、電子ページデータのみ、あるいは、電子ページデータおよび疑似ページデータが作成されると、ページ順に統合される。なお、以下においては、電子ページデータのみ、あるいは、電子ページデータおよび疑似ページデータがページ順に統合されたデータセットを「電子ファイル」とする。原本毎に作成された電子ファイルは、記憶装置１５ｄに記憶されて管理される。
【００２８】
ＣＰＵ１５ａは、電子ファイルのプリントアウトがユーザーによって指示されると、記憶装置１５ｄに記憶された電子ファイルをプリンター１２に出力する。これにより、プリンター１２は、電子ファイルに基づくプリント動作を実行する。プリンター１２は、電子ファイルに含まれる電子ページデータについては、電子ページデータに含まれるページ情報、画像データに基づいて、所定サイズの記録シートにトナー画像を形成してプリントアウトする。
【００２９】
また、ＣＰＵ１５ａは、表示パネル１３における電子ファイルのプレビュー表示がユーザーによって指示されると、電子ファイルを表示パネル１３に出力する。表示パネル１３は、ＰＤＦビューアー（例えば、「Adobe社」製のソフトウェア「Adobe Reader」（商品名））によって、ＰＤＦの電子ページデータに基づく画像を表示（プレビュー表示）する。表示パネル１３には、プリントアウトされる記録シート上のトナー画像が、記録シート上にレイアウトされた状態で表示される。ユーザーは、表示パネル１３において表示された画像に基づいて、プリントアウトされる画像について確認することができる。
【００３０】
＜電子ファイルの作成制御＞
次に、ＭＦＰのＣＰＵ１５ａにおいて実行される電子ファイルの作成制御について説明する。図２は、複数枚の両面原稿によって構成された原本の全ページのスキャンデータに基づいて電子ファイルを作成する場合の処理手順を示すフローチャートである。
ＣＰＵ１５ａは、ユーザーによって複数枚の両面原稿からなる原本がＡＤＦ１１ａにセットされて、原稿の両面のスキャンが指示されると、電子ファイルの作成制御を開始する。ＣＰＵ１５ａは、まず、原稿のページ番号Ｐｎ（スキャンされた順番に相当）を初期値である１に設定する（図２のテップＳ１１）。
【００３１】
スキャナー１１では、ＡＤＦ１１ａによって搬送される最初の原稿の第１面（第１ページ）および第２面（第２ページ）が、第１読取センサー１１ｂおよび第２読取センサー１１ｃによってスキャンされる。第１読取センサー１１ｂおよび第２読取センサー１１ｃは、原稿の第１面および第２面の全面のスキャンによって得られスキャンデータをＣＰＵ１５ａに出力する。以降、第１読取センサー１１ｂおよび第２読取センサー１１ｃは、ＡＤＦ１１ａによって順番に搬送される原稿の第１面および第２面をスキャンし、得られたスキャンデータをＣＰＵ１５ａに出力する。
【００３２】
ＣＰＵ１５ａは、第１読取センサー１１ｂおよび第２読取センサー１１ｃのいずれか一方からスキャンデータを取得すると（ステップＳ１２）、１ページ分のスキャンデータが取得されたかを確認する（ステップＳ１３）。１ページ分のスキャンデータが取得されると（ステップＳ１３において「Ｙｅｓ」）、ステップＳ１４に進む。
ステップＳ１４では、取得された１ページ分のスキャンデータから得られるビットマップデータに基づいて、スキャンされた原本の１ページが、白紙ページ、非白紙ページのいずれであるかを判定する白紙ページの判定処理を実行する（ステップＳ１５）。電子ファイル作成制御の開始当初は、原本の第１ページについて、白紙ページの判定処理が実行される。
【００３３】
白紙ページの判定処理では、まず、１ページ分のビットマップデータから、原稿の下地部分以外の画像部分の画素数（黒色を含むカラーの画素数）を求める。次いで、求められた画像部分の画素数を１ページ分の総画素数で除した値を演算する。演算された値は、所定の閾値と比較され、閾値よりも小さい場合には、当該１ページを白紙ページであると判定する。演算された値が所定値以上の場合には、当該１ページを非白紙ページと判定する。
【００３４】
ステップＳ１５における白紙ページの判定処理が終了すると、白紙ページの判定処理の結果を確認する（ステップＳ１６）。白紙ページでなく非白紙ページと判定された場合には（ステップＳ１６において「Ｎｏ」）、ステップＳ１７に進む。ステップＳ１７では、非白紙ページと判定されたページにおけるページサイズ等のページ情報と、スキャンデータに基づいて作成された画像データとを有するＰＤＦの電子ページデータを作成する電子ページデータ作成処理を実行する。
【００３５】
図３は、ステップＳ１７において実行される電子ページデータ作成処理のサブルーチンを示すフローチャートである。本実施形態では、「ColdFusion」（「Adobe」社製のソフトウェアの商品名）によってＰＤＦの電子ページデータを作成するようになっている。
電子ページデータ作成処理では、まず、作成される電子ページデータに対応する原本のページのスキャンされた順番を示す番号（以下、「ＩＤ番号」とする）が設定される（ステップＳ３０）。この場合、ステップＳ１１において設定された原稿のページ番号Ｐｎに一致する番号を示すＩＤ番号が設定される。
【００３６】
次いで、スキャンされた原稿におけるページ番号の設定（ステップＳ３１）、当該ページにおける高さ（ページ高さ）の設定（ステップＳ３２）、および当該ページの幅（ページ幅）の設定（ステップＳ３３）が、順番に行われる。この場合のページ高さおよびページ幅は、搬送される原稿のページサイズ（規格値）と、原稿の向き（縦向き（縦長）および横向き（横長）のいずれか）とに基づいて設定される。
【００３７】
さらには、当該１ページのビットマップデータに基づいて、ページにおける画像部分のビットマップデータの容量を設定する（ステップＳ３４）。
その後、ビットマップデータに基づく画像データを、ＨＴＭＬおよびＣＦＭＬコードによって作成する（ステップＳ３５）。これにより、原稿の１ページに対して、ページサイズ等のページ情報と、スキャンデータに基づいて作成された画像データとを有する電子ページデータが作成される。
【００３８】
以上により、電子ページデータ作成処理を終了し、図２のステップＳ２０にリターンする。
図４は、図３のステップＳ１７における電子ページデータ作成処理によって生成される電子ページデータのデータ構造の一例を示している。この場合、ＡＤＦ１１ａによって搬送される原稿はＡ４サイズであり、原稿の向きは縦向き（縦長）なっている。
【００３９】
図４に示すデータ構造では、最初の行に、作成された電子ページデータのＩＤ番号が記述されている。なお、ＩＤ番号は、スキャンされた順番に対応しており、ＩＤ番号「Ａ０１」は、スキャンの順番が第１番目であることを示している。また、ＩＤ番号は、原本のページ番号にも対応していることから、ＩＤ番号「Ａ０１」は、原本における第１ページ（最初にスキャンされたページ）であることも示している。
【００４０】
ＩＤ番号の次の行には、「ColdFusion」においてＰＤＦ形式の出力が作成される範囲を規定する「cfdocument」タグの開始タグ「＜cfdocument＞」が記述されている。開始タグの次の行からは、各行ごとに、ページ番号（Page=１）と、ページ高さ（Page Height=297mm）と、ページ幅（Page Width=210mm）と、ビットマップデータの容量（bmp=10mb）とが記述されている。
【００４１】
この場合のページ番号の記述「Page=１」は、作成される電子ページデータが、原稿の第１ページに基づいていることを示している。また、ページ高さの記述「Page Height=297mm」は、ページ高さが、Ａ４サイズのページ高さ（ページサイズの長手方向の長さ）に相当する２９７ｍｍであることを示している。さらに、ページ幅の記述「Page Width=210mm」は、ページ幅が、Ａ４サイズのページ幅（ページサイズの長手方向とは直交する方向の長さ）に相当する２１０ｍｍであることを示している。
【００４２】
次の行におけるビットマップデータの容量の記述「bmp=10mb」は、１ページにおける画像部分のビットマップデータの容量が１０Ｍｂであることを示している。
ビットマップデータの容量の次の行からは、画像データに関するＨＴＭＬおよびＣＦＭＬコードが記述されている。
最終行には、「cfdocument」タグの終了タグ「＜/cfdocument＞」が記述されている。
【００４３】
このように、電子ページデータ作成処理では、原本の白紙ページでない非白紙ページについては、ページ番号およびページサイズと、非白紙ページの画像に関する画像データであるＨＴＭＬおよびＣＦＭＬコードとが含まれている。このために、プリンター１２は、それぞれの電子ページデータに含まれるページサイズに基づいて選択された記録シートに、ＨＴＭＬおよびＣＦＭＬコードに基づいてトナー画像を形成してプリントアウトすることができる。
【００４４】
また、各電子ページデータについては、プリンター１２におけるプリントアウトに際して、表示パネル１３において、プリントアウトされる画像のプレビュー表示が可能である。この場合、表示パネル１３は、電子ページデータに含まれるページ高さおよびページ幅に対応するサイズのページ内に、画像データに基づいてプリントされる画像がレイアウトされた状態で表示される。以下、所定サイズのページに画像がレイアウトされた状態の画像を「レイアウト画像」とする。表示パネル１３に表示されるレイアウト画像の近傍には、それぞれのページ番号が表示される。
【００４５】
次に、図２のステップＳ１６において、白紙ページの判定処理によって白紙ページと判定された場合（ステップＳ１６において「Ｙｅｓ」）について説明する。この場合には、ステップＳ１９に進み、疑似ページデータ作成処理を実行する。疑似ページデータ作成処理では、スキャンデータに基づく画像データを作成しないことから、スキャンデータを削除する。そして、白紙ページとして管理するための情報（管理情報）が含まれた疑似ページデータを作成する。この場合の疑似ページデータは、「ColdFusion」によってデータ構造が作成されたＰＤＦの電子データである。
【００４６】
図５は、疑似ページデータ作成処理のサブルーチンを示すフローチャートである。疑似ページデータ作成処理では、まず、作成される疑似ページデータのＩＤ番号を設定する（図５のステップＳ４０）。この場合、ステップＳ１１において設定された原稿のページ番号Ｐｎに一致する番号を示すＩＤ番号が設定される。
その後、作成される疑似ページデータに対応する原稿のページ番号を設定する（ステップＳ４１）。次いで、表示パネル１３において白紙ページをプレビュー表示する際のページサイズを、白紙ページの管理情報として設定する。すなわち、ステップＳ４２では、プレビュー表示される白紙ページのページ高さを設定し、ステップＳ４３では、白紙ページのページ幅を設定する。
【００４７】
この場合、ステップＳ４２におけるページ高さについては、スキャンされた原稿の白紙ページの高さを設定する。白紙ページの高さは、原稿の白紙ページの規格値および白紙ページの向きに基づいて設定される。
これに対して、ステップＳ４３におけるページ幅は、表示パネル１３のプレビュー表示において白紙ページの画像として表示することができるページ幅の設定可能な最小単位に設定される。本実施形態では、０ｍｍのページ幅が設定される。
【００４８】
以上により、疑似ページデータの作成が終了し、図２のステップＳ２０にリターンする。
図６は、図３のステップＳ１９において作成される疑似ページデータのデータ構造の一例を示している。この疑似ページデータのデータ構造では、最初の行に、疑似ページデータのＩＤ番号「Ｂ０１」が記述されている。なお、ＩＤ番号「Ｂ０１」は、２番目にスキャンされたことを示しており、原稿における第２ページ（２番目にスキャンされたページ）に対応している。
【００４９】
ＩＤ番号の次の行には、「cfdocument」タグの開始タグ「＜cfdocument＞」が記述されている。開始タグの次の行には、タグ情報として、疑似ページデータが作成された原稿のページ番号が記述されている。この疑似ページデータのページ番号は、疑似ページデータのＩＤ番号にも対応している。図６に示すデータ構造におけるページ番号の記述「Page=２」は、疑似ページデータが、原本におけるスキャンされた第２ページに基づいて作成されたことを示している。
【００５０】
また、ページ高さの記述「Page Height=297mm」は、表示パネル１３において表示される白紙ページの画像のページ高さが、Ａ４サイズのページ高さに相当する２９７ｍｍであることを示している。
その次の行におけるページ幅の記述「Page Width=0mm」は、表示パネル１３において表示される白紙ページの画像のページ幅が０ｍｍであることを示している。
【００５１】
最終行には、「cfdocument」タグの終了タグ「＜/cfdocument＞」が記述されている。
このように、疑似ページデータ作成処理では、白紙ページの管理情報として、疑似ページデータのページ番号と、表示パネル１３において表示される白紙ページの画像のページ高さおよびページ幅とだけが含まれたＰＤＦの疑似ページデータが作成される。
次に、図２のステップＳ２０以降の処理について説明する。図２のステップＳ２０では、ＡＤＦ１１ａにセットされた全ての原稿のページのスキャンデータが取得されたかを確認する。全てのページのスキャンデータが取得されていない場合には（ステップＳ２０において「Ｎｏ」）、原稿のページ数の設定値Ｐｎに１ページを加えて得られる値を、新たなページ番号に設定する（ステップＳ２１）。次いで、ステップＳ１２に戻り、次ページのスキャンデータを取得すると、ステップＳ１３以降の処理を繰り返す。
【００５２】
ステップＳ２０において、原本における全てのページのスキャンデータが取得された場合には（ステップＳ２０において「Ｙｅｓ」）、ステップＳ２２に進む。ステップＳ２２では、ステップＳ１７において作成された電子ページデータの全てと、ステップＳ１９において作成された疑似ページデータの全てとを、それぞれに対応するページがスキャンされた順に統合した電子ファイルを作成する。
【００５３】
作成された電子ファイルの電子ページデータおよび疑似ページデータのＩＤ番号は、電子ページデータおよび疑似ページデータのそれぞれが作成された原本の各ページのページ番号に対応している。
このような電子ファイルは、記憶装置１５ｄに記憶される（ステップＳ２３）。以上により、電子ファイル作成制御を終了する。
【００５４】
なお、上記の説明では、電子ページデータおよび疑似ページデータのそれぞれに、スキャン順を示す情報として、所定のＩＤ番号を付与した。しかし、電子ページデータおよび疑似ページデータに付加する情報は、スキャン順に読み取れた原本のページ順を示す情報であればよく、このようなＩＤ番号に限るものではない。
＜電子ファイルのプリントアウト＞
次に、記憶装置１５ｄに記憶された電子ファイルについて、ユーザーが、プリンター１２において、両面プリントでのプリントアウトを指示した場合について説明する。
【００５５】
ユーザーが、記憶装置１５ｄに記憶された電子ファイルを選択してプリントアウトを指示すると、ＣＰＵ１５ａは、選択された電子ファイルをプリンター１２に出力する。
プリンター１２は、電子ファイルに疑似ページデータが含まれていない場合には、全ての電子ページデータに基づくプリント動作を、ＩＤ番号順に実行する。この場合、電子ページデータに含まれるページ情報に基づいて、所定サイズの記録シートが選択される。また、電子ページデータに含まれる画像データに基づいて、複数の記録シートのそれぞれの片面に、トナー画像が電子ページデータのＩＤ番号順にプリントしてプリントアウトする。これにより、各記録シートにおけるそれぞれのページには、原本のページの画像に対応したトナー画像がページ順に形成される。
【００５６】
図４に示すデータ構造の電子ページデータの場合、プリンター１２は、Ａ４サイズの記録シートの片面（１ページ）に、電子ページデータに基づくトナー画像（１０ｍｂのビットマップ容量に相当）を形成する。
電子ファイルに疑似ページデータが含まれる場合には、プリンター１２は、それぞれの電子ページデータについては、各電子ページデータに設定されたページ番号を付与して、ＩＤ番号順にプリントアウトする。これに対して、疑似ページデータについては、設定されたＩＤ番号（ページ番号）に対応する記録シートのページに対して、ページ番号のみを付与した白紙ページの状態でプリントアウトする。
【００５７】
これにより、複数ページの両面原稿によって構成された原本が白紙ページを含む場合に、プリンター１２から排出される複数枚の記録シートは、原本と同様のページ番号の位置に、白紙ページが含まれている。また、記録シートにおける白紙ページ以外のページには、原本における同じページ番号のページの画像に対応したトナー画像がそれぞれ形成されている。
【００５８】
＜電子ファイルのプレビュー＞
次に、記憶装置１５ｄに記憶された電子ファイルについて、ユーザーが、表示パネル１３でのプレビュー表示を指示した場合について説明する。
ユーザーが、記憶装置１５ｄに記憶された電子ファイルを選択してプレビュー表示を指示すると、ＣＰＵ１５ａは、選択された電子ファイルを表示パネル１３に出力する。
【００５９】
この場合、表示パネル１３は、電子ファイルに疑似ページデータが含まれていない場合には、全ての電子ページデータに基づくレイアウト画像をＩＤ番号順に並べた状態で一括してプレビュー表示する。なお、レイアウト画像の近傍には、それぞれのページ番号が表示される。
図４に示すデータ構造の電子ページデータの場合、Ａ４サイズの記録シートの１ページに、電子ページデータに基づくトナー画像が形成された状態のレイアウト画像が表示パネル１３においてプレビュー表示される。
【００６０】
これに対して、電子ファイルに疑似ページデータが含まれている場合には、表示パネル１３は、疑似ページデータ以外の全ての電子ページデータについては、上記と同様に、電子ページデータのＩＤ番号順に、それぞれのレイアウト画像をプレビュー表示する。この場合、全ての電子ページデータに基づくレイアウト画像が、それぞれのＩＤ番号に対応する位置に、ページ番号とともに表示される。
【００６１】
疑似ページデータについては、設定されたページ高さおよびページ幅の白紙ページが、ＩＤ番号に対応した位置に、設定されたページ番号とともに表示される。
図６に示す疑似ページデータのデータ構造では、記録シートのページ高さとしてＡ４サイズのページ高さに相当する高さ（２９７ｍｍ）が設定されているのに対して、ページ幅が０ｍｍに設定されている。このようなページサイズの設定では、表示パネル１３において、白紙ページの画像として、Ａ４サイズの高さに相当する長さの直線（図７に示された「Page2」に対応する画像を参照）が縦方向に沿った状態で表示される。
【００６２】
このように、表示パネル１３には、電子ページデータに基づくレイアウト画像およびページ番号、または、疑似ページデータに基づく白紙ページおよびページ番号が、ＩＤ番号順（原本におけるページ順に相当）に並べられた状態で一括して表示される。ユーザーは、ページ番号とともに白紙ページの画像がプレビュー表示されていることにより、表示されたページ番号に一致する原本のページが白紙ページであることを確認することができる。
【００６３】
図７は、疑似ページデータを含む電子ファイルの全てのページを、表示パネル１３においてプレビュー表示した場合の一例を示す模式図である。この場合、電子ファイルは、２枚のＡ４サイズの両面原稿（縦向き）によって構成された４ページの原本を、それぞれのページをスキャンすることによって作成されている。原本における第２ページは白紙ページになっているが、他のページは白紙ページではなく、画像が形成された非白紙ページになっている。
【００６４】
従って、電子ファイルにおける第２ページは疑似ページデータになっており、第１ページ、第３ページ、第４ページのそれぞれは電子ページデータになっている。第１ページ、第３ページ、第４ページの電子ページデータのそれぞれにおけるページ高さおよびページ幅は、Ａ４サイズのページ高さ（長手方向に沿った長さ）およびページ幅（長手方向とは直交する方向に沿った長さ）に設定されている。第２ページの疑似ページデータは、図６に示すデータ構造になっており、ページ高さがＡ４サイズのページ高さ（長手方向に沿った長さ）である２９７ｍｍに設定されているのに対して、ページ幅は０ｍｍに設定されている。
【００６５】
表示パネル１３の表示画面には、ＩＤ番号順に、電子ページデータまたは疑似ページデータに対応する画像が横方向に並んだ状態で一括してプレビュー表示される。
この場合、それぞれのＩＤ番号が、第１、第３、第４に相当するそれぞれの電子ページデータについては、縦向き（縦長）のＡ４のページサイズのレイアウト画像が表示される。また、それぞれのレイアウト画像の下側には、それぞれのページ番号（Page１、Page３、Page４）が表示される。
【００６６】
これに対して、疑似ページデータについては、ＩＤ番号（第２ページ）に対応する位置（第１ページおよび第３ページのレイアウト画像の間）に、Ａ４のページ高さに対応する長さの直線が表示画面の縦方向に沿って表示される。この場合も、白紙ページの下側にページ番号（Page２）が表示される。
このように電子ファイルの全てのページに対するプレビュー表示により、ユーザーは、原本における第２ページが白紙ページであり、プリンター１２は、その白紙ページを含んだ状態でプリントアウトされることを確認することができる。
【００６７】
なお、原本における総ページ数が多い場合には、表示パネル１３において、全てのページを複数画面に分けてプレビュー表示される場合もある。
また、ユーザーが原本における白紙ページ以外の所定ページだけを、表示パネル１３においてプレビュー表示を指示した場合には、指示されたページ番号に対応するＩＤ番号の電子ページデータがプレビュー表示される。
【００６８】
この場合、原本における白紙ページに関しては疑似ページデータが作成されているために、全ての電子ページデータのＩＤ番号は、それぞれの電子ページデータが作成された原本のページ番号に対応している。従って、ユーザーが原本のページ番号を指定すると、指定したページ番号に対応したＩＤ番号の電子データページの画像が表示パネル１３においてプレビュー表示される。すなわち、表示パネル１３において表示される電子ページデータのレイアウト画像は、ユーザーが指定した原本のページ番号のページの画像に対応している。
【００６９】
これにより、ユーザーは、原本における指定したページ番号のページのプリントアウトされるトナー画像を、プレビュー表示されたレイアウト画像に基づいて正確に確認することができる。
ユーザーが、原本における白紙ページのページ番号を指定してプレビューを指示すると、表示パネル１３には、白紙ページに対して作成された疑似ページデータに基づく白紙ページの画像（図７の「Page2」に対応する直線）が表示されることになる。これにより、ユーザーは、原本において指定したページ番号のページが白紙ページであることを確認することができる。
【００７０】
なお、図７に示すプレビュー表示の画像の場合、原本の白紙ページである第２ページについては、表示パネル１３において表示させない構成とすると、ユーザーは、いずれのページが白紙ページであるかを認識することができないおそれがある。例えば、表示パネル１３において、原本における第１ページ、第３ページ、第４ページの画像が連続して表示されると、ユーザーは、原本における第１ページ、第２ページ、第３ページが非白紙ページであって、原本の第４ページが白紙ページであると誤認するおそれがある。
【００７１】
以上のように、本実施形態では、原本における白紙ページ以降の所定の非白紙ページのプレビュー表示をユーザーが指示した場合にも、原本におけるページ番号のページのレイアウト画像が、表示パネル１３において正確にプレビュー表示される。従って、ユーザーは、指示した非白紙ページの画像を、表示パネル１３において、正確に確認することができる。
【００７２】
なお、本実施形態は、原稿における片面のみがページ面になった複数枚の原稿を有する原本における全ページのスキャンデータに基づいて、電子ファイルを作成する場合にも適用することができる。この場合には、白紙ページになった原稿は、両面のいずれにも画像が形成されていない。電子ファイル作成制御においては、このような白紙ページに対して、疑似ページデータが作成される。
【００７３】
従って、このような電子ファイルのプリントアウトに際しては、疑似ページデータに対して、白紙ページの状態の記録シートがプリントアウトされる。
また、表示パネル１３におけるプレビュー表示に際しては、疑似ページデータに対して、白紙ページの画像が表示される。
本実施形態では、さらに、疑似ページデータにおいて管理情報として設定されるページサイズ（ページ高さおよびページ幅）についても、特に限定されるものではない。例えば、ＰＤＦのデータ構造において、ページ高さおよびページ幅のそれぞれを、０ｍｍでない任意の値に設定してもよい。あるいは、ページ高さおよびページ幅のいずれか一方を０ｍｍ、他方を任意の値に設定してもよい。
【００７４】
また、疑似ページデータに含まれる管理情報は、白紙ページのサイズに関する情報に限定されるものではなく、白紙ページとして管理できる情報であればよい。疑似ページデータにおける白紙ページの管理情報として、ページサイズに関する情報以外の情報が設定されると、疑似ページデータのプレビューに際しては、予め設定されたページサイズの外縁（白紙ページの画像）が表示パネル１３において表示される。
【００７５】
［実施形態２］
表示パネル１３は、上記実施形態１のような構成に限らず、表示内容を横方向にスクロールできる構成であってもよい。このような表示パネル１３により、図７において説明した電子ファイルの画像をプレビュー表示する場合について、図７に基づいて説明する。図７の二点鎖線は、表示内容を横方向にスクロールできる表示パネル（表示画面の大きさに対応）１３ａを例示している。
【００７６】
このような表示パネル１３ａにおいて、例えば、図７に示されたプレビュー画像の表示が指示されると、表示画面に、原稿の第１ページに対応したＩＤ番号の電子ページデータにおけるレイアウト画像がプレビュー表示される。このような状態で、ユーザーが、表示画面に指を接触させて、表示画面上を左側方向（矢印Ａ方向）にスライドさせると、表示パネル１３ａにおける表示が、矢印Ａ方向にスクロールされる。これにより、レイアウト画像および白紙ページがページ順に表示画面の左側方向にスクロール表示される。
【００７７】
従って、ユーザーは、原本における全てのページのプレビュー表示を、表示パネル１３ａの表示画面においてスクロールさせながら確認することができる。この場合も、原本に白紙ページが含まれている場合には、白紙ページの画像が表示パネル１３ａに表示される。これにより、ユーザーは白紙ページが含まれていることを確認することができる。
また、ユーザーが原本における白紙ページ以外の所定のページのレイアウト画像を、表示パネル１３ａにおいてプレビュー表示させる場合には、ユーザーは、プレビュー表示させるページ番号を指定する必要がない。この場合には、ユーザーは、表示パネル１３ａにおいて各ページのプレビュー表示を順番にスクロールさせて、所定のページ番号のページのレイアウト画像を表示させて停止させればよい。プレビュー表示されるレイアウト画像の近傍には、原本におけるページ番号に一致したページ番号が表示されているために、ユーザーは、原本における確認の対象となるページのレイアウト画像を正確に確認することができる。
【００７８】
さらに、本実施形態においても、白紙ページに対応する疑似ページデータにおいて、表示パネル１３ａにおけるスクロール方向に沿ったページ幅が、表示パネル１３における表示可能な最小単位である０ｍｍに設定される。このような構成により、表示パネル１３ａに表示される白紙ページの画像は、スクロール方向に対して表示可能な最も短い長さで表示される。
【００７９】
このために、プレビュー表示の対象ページよりも前に多くの白紙ページが原本に含まれていても、表示パネル１３ａにおける表示をスクロールさせる際に、個々の白紙ページの画像の表示時間を短くすることができる。従って、プレビューの確認対象となるページにおけるレイアウト画像を、比較的短い時間で表示パネル１３ａに表示することができる。これにより、ユーザーは、原本における確認の対象となるページのレイアウト画像を迅速に確認することができる。
【００８０】
なお、本実施形態においては、表示パネル１３ａは、表示内容を横方向にスクロール可能な構成に限らず、図８に示すような縦方向にスクロール可能な構成であってもよい。
このような表示パネル１３ａが設けられている場合には、電子ファイルの作成制御における疑似ページデータ作成処理では、ページ高さが、表示パネル１３での表示可能な最小単位である０ｍｍに設定される。これに対して、ページ幅は、スキャンされた原稿の白紙ページのページ幅に設定される。白紙ページ以外のページに対する電子ページデータ作成処理については、前記実施形態１と同様である。
【００８１】
例えば、第２ページの疑似ページデータにおいて設定される白紙ページの管理情報は、ページ高さが０ｍｍ、ページ幅がＡ４サイズのページ幅に相当する２１０ｍｍに設定される。
このような疑似ページデータが作成されると、表示パネル１３ａにおけるプレビューに際して、Ａ４サイズのページ幅に相当する長さの横方向に沿った直線が白紙ページの画像として表示される。なお、第１ページ、第３ページ、第４ページのそれぞれの電子ページデータについては、図７に示された第１ページ、第３ページ、第４ページのそれぞれと同じレイアウト画像が、表示パネル１３においてプレビュー表示される。
【００８２】
このような電子ファイルを、縦方向にスクロール可能な表示パネル１３ａにおいてプレビュー表示する場合について、図８に基づいて説明する。図８の実線は、スクロール可能でない表示パネル１３であり、二点鎖線は、縦方向にスクロール可能な表示パネル１３ａを示している。
ユーザーによるプレビュー表示が指示されると、表示パネル１３ａには、原本の第１ページに対応した電子ページデータのレイアウト画像が、ページ番号とともにプレビュー表示される。ページ番号は、レイアウト画像の右側の側方に表示される。
【００８３】
このような状態で、ユーザーが、表示画面に指を接触させて上方（図８における二点鎖線の矢印Ａで示す方向）にスライドさせると、原本の各ページに対応した画像が、ページ順に画面の上方にスクロール表示される。
このように、縦方向にスクロール可能な表示パネル１３ａにおいても、横方向にスクロール可能な表示パネル１３と同様に、原本における全てのページをプレビューすることができる。従って、ユーザーは、原本における全てのページのプレビュー表示を、表示パネル１３ａの表示画面においてスクロールさせながら確認することができる。これにより、原本に白紙ページが含まれていることを、ユーザーは容易に確認することができるとともに、原本における確認の対象となるページのレイアウト画像を正確に確認することができる。
【００８４】
また、縦方向にスクロール可能な表示パネル１３ａにおいても、白紙ページの画像は、スクロール方向に対して表示可能な最も短い長さで表示される。これにより、プレビュー表示の対象ページよりも前に多くの白紙ページが原本に含まれていても、表示パネル１３ａにおける白紙ページの画像の表示時間が短くなる。
このことから、プレビューの確認対象となるページにおけるレイアウト画像を比較的短い時間で表示パネル１３ａに表示することができる。これにより、ユーザーは、原本における確認の対象となるページのレイアウト画像を迅速に確認することができる。
【００８５】
なお、本実施形態２においても、原稿における片面のみがページ面になった複数枚の原稿を有する原本における全ページのスキャンデータに基づいて、電子ファイルを作成する場合にも適用することができる。
［実施形態３］
本実施形態３では、表示パネル１３が表示内容をスクロールできる構成において、複数枚の両面原稿によって構成された原本の原稿のサイズが揃っていない場合にも、対象ページを迅速にプレビュー表示することが可能になっている。
【００８６】
まず、本実施形態において、表示パネル１３が表示内容を横方向にスクロールできる構成の場合について説明する。
図９（ａ）は、３枚の両面原稿によって構成された６ページの原本において、原稿の向きが他の原稿とは異なった状態になった白紙ページが含まれている場合の全ページの構成を説明するための模式図である。図９（ａ）には、原本における３枚の原稿の１枚目と３枚目は、縦向き（縦長）のＡ４サイズになっている。２枚目の原稿は、横向き（横長）のＡ４サイズになっている。そして、２枚目の原稿における第２面（原本における第４ページ）が白紙ページになっている。他のページは、非白紙ページになっている。
【００８７】
このような原本をスキャンした場合における電子ファイルの作成制御も、前記各実施形態と同様である。すなわち、原本の第１、第２、第３、第５、第６の各ページのそれぞれのスキャンデータに対しては電子ページデータが作成され、第４ページの白紙ページに対しては疑似ページデータが作成される。作成された電子ページデータおよび疑似ページデータには、原本のページ番号に対応するＩＤ番号がそれぞれ付与される。
【００８８】
この場合の疑似ページデータ作成処理では、表示パネル１３におけるスクロール方向に沿ったページ幅が、表示パネル１３における表示可能な最小単位である０ｍｍに設定される。これに対して、ページの高さは、原本の白紙ページのページ高さに設定される。本実施形態では、横向き（横長）になったＡ４ページサイズの縦方向の長さ（Ａ４ページサイズにおける長手方向に直交する方向の長さ）である２１０ｍｍに設定される。
【００８９】
図９（ｂ）は、図９（ａ）に示された原本に基づいて作成された電子ファイルを、表示パネル１３においてプレビュー表示する場合の説明図である。
図９（ｂ）に示すように、原本の第１ページ〜第２ページ、第５ページ〜第６ページのそれぞれの電子ページデータについては、縦向きのＡ４サイズのレイアウト画像がページ番号とともにプレビュー表示される。原本の第３ページに対する電子ページデータについては、横向きのＡ４サイズのレイアウト画像がページ番号とともにプレビュー表示される。それぞれのページ番号は、レイアウト画像の下側に表示される。
【００９０】
原本の第４ページの疑似ページデータについては、白紙ページの画像として、横向きのＡ４サイズにおける縦方向（Ａ４ページサイズにおける長手方向とは直交する方向の長さ）に対応する長さの直線が表示画面の縦方向に沿って表示される。この場合も、白紙ページの画像の下側にページ番号が表示される。
このような構成によっても、ユーザーは、原本における全てのページのプレビュー表示を、表示パネル１３の表示画面において横方向にスクロールさせながら確認することができる。従って、この場合も、原本に白紙ページが含まれていることを、容易に、しかも、比較的短い時間で確認することができる。
【００９１】
本実施形態３においても、表示パネル１３は、表示内容を横方向にスクロール可能な構成に限らず、縦方向にスクロール可能な構成であってもよい。
この場合、電子ファイルの作成制御では、疑似ページデータ作成処理におけるページサイズの設定だけが、横方向にスクロール可能な表示パネル１３とは異なっている。すなわち、疑似ページデータ作成処理では、表示パネル１３におけるスクロール方向（縦方向）に沿ったページ高さが、表示パネル１３における表示可能な最小単位である０ｍｍに設定される。これに対して、ページ幅は、原本の白紙ページのページ幅、すなわち、横向き（横長）のＡ４サイズページのページ幅（Ａ４サイズの長手方向の長さに相当）である２９７ｍｍに設定される。
【００９２】
次に、縦方向にスクロール可能な表示パネル１３において、図９（ａ）に示された原本に基づいて作成された電子ファイルを表示パネル１３においてプレビューする場合について、図１０に基づいて説明する。図１０（ａ）は、図９（ａ）に示された原本の各ページの構成を縦方向に沿って並べて示したものである。図１０（ｂ）は、図１０（ａ）に示された原本に基づいて作成された電子ファイルを、表示パネル１３においてプレビュー表示する場合の説明図である。
【００９３】
図１０（ｂ）において示されたそれぞれの電子ページデータ（原本における第４ページ以外の各ページに相当）のプレビュー表示される画像は、図９（ｂ）において示されたそれぞれの電子ページデータのプレビュー表示される画像と同じである。これに対して、第４ページの白紙ページに対して作成された疑似ページデータの画像として、Ａ４のページサイズにおける長手方向の寸法に対応する長さの直線が表示画面の横方向に沿って表示される。
【００９４】
このように、縦方向にスクロール可能な表示パネル１３においても、ユーザーは、原本における全てのページのプレビュー表示を、表示パネル１３の表示画面において縦方向にスクロールさせながら確認することができる。この場合も、原本に白紙ページが含まれていることを容易に、しかも、比較的短い時間で確認することができる。
［実施形態４］
前記各実施形態１〜３において説明したＭＦＰは、記憶装置１５ｄに記憶された電子ファイルを、通信Ｉ／Ｆ１４を介して外部装置に送信することが可能になっている。電子ファイルを外部装置へ送信する場合、ユーザーは、送信する電子ファイルを記憶装置１５ｄから選択する。
【００９５】
ユーザーは、電子ファイルを送信する前に、電子ファイルが正しく選択されたことを確認するために、電子ファイルをプレビューする場合がある。本実施形態４では、この場合に、電子ファイルに疑似ページデータが含まれていると、疑似ページデータに関しては、表示パネル１３に表示せずに、電子ページデータのレイアウト画像だけを表示パネル１３に表示する構成になっている。
【００９６】
電子ファイルを送信する場合、電子ファイルをプリントアウトする場合のように、記録シートにプリントされた画像のレイアウトを確認する必要がない。このために、疑似ページデータについては、表示パネル１３において表示しない構成とすると、その分、一定の表示領域内に、より多くの電子ページデータの画像を表示することができる。このことから、例えば、表示パネル１３において、スクロール操作を行うことなく表示される電子ページデータの画像の数を増加させることができる。
【００９７】
本実施形態では、例えば、ユーザーが、原本における全てのページ番号を指定して、表示パネル１３における全ページのプレビュー表示を指示した場合には、電子ファイルに含まれる電子ページデータのレイアウト画像だけが表示パネル１３に一括して表示される。
あるいは、表示パネル１３が、表示内容のスクロールが可能である場合には、疑似ページデータに対応する白紙ページの画像が表示されることなく、全てのページの電子ページデータのレイアウト画像だけがページ順にスクロール表示される。
【００９８】
これにより、ユーザーは、表示パネル１３に表示されるレイアウト画像に基づいて、外部装置に送信される電子ファイルが正しく選択されたことを確認することができる。
なお、本実施形態４においても、片面にのみ画像が形成された複数枚の原稿によって構成された原本における全ページの画像のスキャンデータに基づいて電子ファイルを作成する場合にも適用することができる。
【００９９】
［変形例１］
前記各実施形態では、電子ファイル作成制御における電子ページデータ作成処理（図２のテップＳ１７）において、スキャンデータに基づいて、ＰＤＦの電子ページデータを作成する構成であったが、このような構成に限らない。例えば、１ページ分のスキャンデータに基づいて、「Word」（マイクロソフト社製の文書作成ソフトウェアの商品名）に基づく形式（「Word」形式）の電子ページデータを作成する構成としてもよい。この場合、例えば、「Adobe」社製のソフトウェア「Acrobat Ｘ」（商品名）によって「Word」形式の電子ページデータが作成される。「Word」形式の電子ページデータには、文字等の画像データと、レイアウト情報（ページの向き(縦／横)、余白、段組み、行番号、垂直方向の配置、ページ番号、ページサイズ等）とが含まれる。
【０１００】
この場合には、図２のステップＳ１９における疑似ページデータ作成処理においても、「Word」形式の疑似ページデータが作成される。疑似ページデータの作成処理では、例えば、原本における白紙ページと同じサイズのページの全ての行が改行コードになったページが、白紙ページの管理情報として作成される。あるいは、設定可能な最小単位のページサイズの新規セクション（セクション区切りによって形成される）が白紙ページの管理情報として作成される。いずれの場合にも、疑似ページデータには、原本における白紙ページのページ番号に対応したＩＤ番号、および、原本における白紙ページのページ番号と同じページ番号が設定される。
【０１０１】
電子ページデータおよび疑似ページデータが作成されると、それぞれに対応するページがスキャンされた順に統合することによって電子ファイルが作成される。これにより、電子ページデータおよび疑似ページデータのＩＤ番号は、電子ページデータおよび疑似ページデータのそれぞれが作成された原本の各ページのページ番号に対応している。
このような電子ファイルを、プリンター１２においてプリントする場合には、電子ページデータについては、電子ページデータに含まれるレイアウト情報に基づいて、所定サイズの記録シートに文字等のトナー画像がプリントされる。
【０１０２】
電子ファイルに疑似ページデータが含まれている場合には、疑似ページデータに含まれるページ情報に基づいて選択される記録シートに、ページ番号のトナー画像だけがプリントされる。
また、電子ファイルを、表示パネル１３においてプレビュー表示する場合には、電子ページデータについては、電子ページデータに含まれるレイアウト情報に基づいて、所定サイズの１ページの画像内に文字等のトナー画像がレイアウトされたレイアウト画像が表示される。
【０１０３】
これに対して、電子ファイルに疑似ページデータが含まれている場合には、疑似ページデータに含まれるページ情報に基づくページサイズの白紙ページの画像が表示パネル１３に表示される。例えば、疑似ページデータとして、全ての行が改行コードだけで構成されたページが設定されている場合には、設定されたページサイズに対応する白紙ページの画像がページ番号とともに表示される。
【０１０４】
また、疑似ページデータとして、設定可能な最小単位のページサイズの新規セクションが設定されている場合には、設定された最小のページサイズに対応する白紙ページの画像がページ番号とともに表示される。
このような構成によっても、前記実施形態１と同様に、原本に白紙ページが含まれていることを、ユーザーは容易に確認することができるとともに、原本における確認の対象となるページのレイアウト画像を正確に確認することができる。
【０１０５】
なお、本実施形態においても、前記各実施形態２および３と同様に、表示パネル１３が、表示内容をスクロールできる構成である場合には、電子ページデータおよび疑似ページデータが表示パネル１３においてスクロール表示される。この場合には、原本に白紙ページが含まれていても、プレビューの確認対象となるページのレイアウト画像を容易かつ正確に確認することができる。
【０１０６】
また、本実施形態においても、実施形態４のように、電子ファイルを外部装置に送信する際のプレビュー表示においては、疑似ページデータに関してはプレビュー表示しない構成とすることも可能である。
［変形例２］
電子ファイル作成制御の電子ページデータ作成処理（図２のテップＳ１７）では、スキャンデータに基づいてＰＰＴファイル形式（マイクロソフト社製ソフトウェア「PowerPoint」（商品名）に基づく形式）の電子ページデータを作成する構成としてもよい。
【０１０７】
この場合、疑似ページデータ作成処理（図２のテップＳ１９）では、白紙ページの管理情報として、ＰＰＴファイル形式におけるスライドショー非表示属性が付与された疑似ページデータが作成される。疑似ページデータには、原本における白紙ページのページ番号に対応したＩＤ番号、および、原本における白紙ページのページ番号と同じページ番号が設定される。
【０１０８】
ＰＰＴファイル形式の電子ページデータは、プリンター１２において、それぞれのページ毎に所定サイズの記録シートの各ページにトナー画像を形成してプリントアウトすることができる。この場合にも、記録シートの各ページには、電子ページデータに設定されたページ番号がプリントされる。
また、疑似ページデータについては、所定サイズの記録シートのページに、疑似ページデータに設定されたページ番号だけが付与された白紙ページの状態で、プリントアウトされる。
【０１０９】
さらに、プレビュー表示が指示された電子ファイルに疑似ページデータが含まれている場合には、疑似ページデータに関しては、例えば、予め設定されたページサイズに対応する白紙ページの画像が表示パネル１３に表示される。
このような構成によっても、前記実施形態１と同様に、原本に白紙ページが含まれていることを、ユーザーは容易に確認することができるとともに、原本における確認の対象となるページのレイアウト画像を正確に確認することができる。
【０１１０】
なお、本実施形態においても、表示パネル１３が、表示内容をスクロールできる構成である場合には、前記各実施形態２および３と同様に、電子ページデータおよび疑似ページデータに基づく画像が表示パネル１３においてスクロール表示される。この場合にも、原本に白紙ページが含まれていても、プレビューの確認対象となるページのレイアウト画像を容易かつ正確に確認することができる。
【０１１１】
また、実施形態４のように、電子ファイルを外部装置に送信する際のプレビュー表示においては、疑似ページデータに関してはプレビュー表示しない構成とすることも可能である。
【産業上の利用可能性】
【０１１２】
本発明は、原本におけるそれぞれのページのスキャンデータに基づいて作成された電子データの番号を、原本に白紙ページが含まれていても、原本のページ番号に対応させる技術として有用である。
【符号の説明】
【０１１３】
１１        スキャナー
１１ａ      ＡＤＦ
１１ｂ      第１読取センサー
１１ｃ      第２読取センサー
１２        プリンター
１３        表示パネル
１５        制御部
【図１】
2015082811.tif 000003
【図２】
2015082811.tif 000004
【図３】
2015082811.tif 000005
【図４】
2015082811.tif 000006
【図５】
2015082811.tif 000007
【図６】
2015082811.tif 000008
【図７】
2015082811.tif 000009
【図８】
2015082811.tif 000010
【図９】
2015082811.tif 000011
【図１０】
2015082811.tif 000012